(57)【要約】【課題】商品等の通信回線を介しての注文の手間を軽減する。【解決手段】情報提供サーバ３０にアクセスするための識別情報が二次元コードによって記載された折り畳み葉書１０と、折り畳み葉書１０に記載された二次元コードを読み取り可能に構成された端末２０と、端末２０にて二次元コードが読み取られた場合にインターネット４０を介して端末２０に情報を提供する情報提供サーバ３０とを設ける。【選択図】  図１
2004264985.tif 000002
【特許請求の範囲】
【請求項１】
通信回線を介して情報を提供する情報提供システムにおいて、
前記情報の提供元にアクセスするための識別情報が二次元コードによって記載された印刷物と、
前記印刷物に記載された前記二次元コードを読み取り可能に構成された端末と、
前記端末にて前記二次元コードが読み取られることにより前記通信回線を介してアクセス可能に構成され、前記通信回線を介して前記端末に前記情報を提供する情報提供手段とを有することを特徴とする情報提供システム。
【請求項２】
請求項１に記載の情報提供システムにおいて、
前記二次元コードには、前記情報の提供先に関する情報が含まれていることを特徴とする情報提供システム。
【請求項３】
請求項１または請求項２に記載の情報提供システムにおいて、
前記印刷物は、前記二次元コードが内面となるように折り畳まれた状態で接触面どうしが剥離可能に接着されていることを特徴とする情報提供システム。
【発明の詳細な説明】
【０００１】
【発明の属する技術分野】
本発明は、通信回線を介して情報を提供する情報提供システムに関する。
【０００２】
【従来の技術】
従来より、カタログを用いて商品等を購入する、いわゆるカタログショッピングにおいては、消費者が商品やサービス等を店舗等に出向くことなく家庭等にて容易に購入することができるため、利用者の数は少なくない。
【０００３】
また、近年、インターネットやパソコンが急速に普及し、個人が時間や場所を問わずにインターネットに接続することが容易に行われるようになってきている。また、それに伴い、インターネット上にホームページを開設し、このホームページを用いて情報を提供したり、商品等を販売したりする企業団体等が急速に増加している。
【０００４】
そこで、近年、カタログショッピングを取り扱う企業団体においては、カタログショッピングにおける商品等の注文及びその代金の決済を、インターネットを介して行うシステムが構築されており、利用者にとってもその利便性は高まっている。
【０００５】
インターネットを用いた一般的なカタログショッピングにおいては、消費者が、所望の商品が掲載されたカタログにて指定されるサイトにパソコン等の端末を用いてアクセスすると、カタログに掲載された商品を注文するための画面が消費者の端末に表示される。
【０００６】
消費者は、端末に表示された画面に、カタログに掲載された商品のうち所望の商品を指定するための商品コード等を入力し、また、消費者の氏名等の属性情報を入力するとともに、代金の支払方法を指定する。
【０００７】
これにより、カタログに掲載された商品の注文が行われ、また、指定された支払方法によって商品の代金が支払われることになる。
【０００８】
また、近年においては、カタログに掲載された商品を注文する際の消費者の手間を軽減するために、カタログに掲載された商品毎にバーコード情報を付与してカタログに掲載しておき、このバーコード情報を消費者の端末にて読み取ることにより商品の注文を行う仕組みが考えられている（例えば、特許文献１参照。）。
【０００９】
【特許文献１】
特開２００２−４９７９５号公報
【００１０】
【発明が解決しようとする課題】
しかしながら、上述したようなインターネットを用いたカタログショッピングにおいては、購入する商品毎に、その商品を取り扱う企業や店舗が運営するサイトにアクセスする必要があるため、その数が多い場合、全てのアクセス情報を把握しておくことができなくなる虞れがある。
【００１１】
また、複数の商品を購入する場合であって、それらの商品を取り扱う企業や店舗が互いに異なる場合、それぞれの企業や店舗が運営するサイトに順次アクセスし、商品を注文しなければならず、手間がかかってしまうという問題点がある。
【００１２】
本発明は、上述したような従来の技術が有する問題点に鑑みてなされたものであって、商品やサービスのネットワークを介しての注文の手間を軽減することができる情報提供システムを提供することを目的とする。
【００１３】
【課題を解決するための手段】
上記目的を達成するために本発明は、
通信回線を介して情報を提供する情報提供システムにおいて、
前記情報の提供元にアクセスするための識別情報が二次元コードによって記載された印刷物と、
前記印刷物に記載された前記二次元コードを読み取り可能に構成された端末と、
前記端末にて前記二次元コードが読み取られることにより前記通信回線を介してアクセス可能に構成され、前記通信回線を介して前記端末に前記情報を提供する情報提供手段とを有することを特徴とする。
【００１４】
また、前記二次元コードには、前記情報の提供先に関する情報が含まれていることを特徴とする。
【００１５】
また、前記印刷物は、前記二次元コードが内面となるように折り畳まれた状態で接触面どうしが剥離可能に接着されていることを特徴とする。
【００１６】
（作用）
上記のように構成された本発明においては、通信回線を介して情報を提供する情報提供システムにおいて、情報の提供元にアクセスするための識別情報が二次元コードによって記載された印刷物が送付された後、印刷物に記載された二次元コードが端末にて読み取られると、該二次元コードによって情報提供手段に対するアクセスが行われ、情報提供手段から通信回線を介して端末に情報が提供される。
【００１７】
このように、印刷物に記載された二次元コードを読み取ることのみによって情報提供手段に対するアクセスが行われるので、情報提供手段から端末に提供された情報を用いて商品やサービスの注文を行うように構成すれば、商品やサービスの通信回線を介しての注文の手間が軽減する。
【００１８】
また、二次元コードに情報の提供先に関する情報を含めれば、情報提供手段から端末に提供された情報を用いて商品やサービスの注文を行う場合に、注文元に関する情報を入力する必要がなくなり、商品やサービスの通信回線を介しての注文の手間がさらに軽減する。
【００１９】
また、印刷物を、二次元コードが内面となるように折り畳まれた状態で接触面どうしが剥離可能に接着されている構成とすれば、二次元コードに含まれる情報のセキュリティ性が向上する。
【００２０】
【発明の実施の形態】
以下に、本発明の実施の形態について図面を参照して説明する。
【００２１】
図１は、本発明の情報提供システムの実施の一形態を示す図である。
【００２２】
本形態は図１に示すように、通信回線となるインターネット４０に接続可能であるとともに二次元コードを読み取り可能な携帯電話機等の端末２０と、端末２０にて読み取られた二次元コードに基づいて、提供情報データベース５１及び会員情報データベース５２を参照して、商品やサービスの注文を受け付けるための情報画面をインターネット４０を介して端末２０に提供するとともに、端末２０に提供された情報画面上にて指定された情報に従って商品やサービスの注文を受け付ける情報提供サーバ３０と、情報提供サーバ３０にて商品やサービスの注文を受け付けるための情報画面へのアクセス情報となるＵＲＬアドレスと、商品やサービスを特定するための商品コードと、会員情報データベース５２に登録された会員情報を識別可能な会員ＩＤとが含まれる二次元コードが少なくとも印刷された印刷物である折り畳み葉書１０と、提供情報データベース５１及び会員情報データベース５２を参照して、上述した二次元コードが少なくとも印刷された折り畳み葉書１０を作成する製造部６０とから構成されている。また、情報提供サーバ３０は、商品やサービスの注文を行うための情報画面をインターネット４０を介して端末２０に提供するサイト管理部３１と、端末２０にて読み取られた二次元コードに基づいて提供情報データベース５１及び会員情報データベース５２を検索するデータベース管理部３２とから構成されている。
【００２３】
以下に、上記のように構成された情報提供システムにおける商品販売方法について説明する。
【００２４】
図２は、図１に示した情報提供システムにおける商品販売方法を説明するためのフローチャートである。
【００２５】
まず、製造部６０において、提供情報データベース５１及び会員情報データベース５２が参照され、情報提供サーバ３０にて商品やサービスの注文を受け付けるための情報画面へのアクセス情報となるＵＲＬアドレスと、商品やサービスを特定するための商品コードと、会員情報データベース５２に登録された会員情報を識別可能な会員ＩＤとが含まれる二次元コードが少なくとも印刷された折り畳み葉書１０が作成される（ステップＳ１）。
【００２６】
図３は、図１に示した情報提供システムにて作成される折り畳み葉書１０の一構成例を示す図であり、（ａ）は表面構成を示す図、（ｂ）は裏面構成を示す図である。
【００２７】
図３（ａ）に示すように、折り畳み葉書１０の表面には、折り線７を介して一方の領域に、折り畳み葉書１０の宛先を示す宛先情報１が印刷されており、また、折り線７を介して他方の領域には、情報提供サーバ３０が管理する情報画面への折り畳み葉書１０を用いてのアクセス方法を示すガイダンス情報４が印刷されている。
【００２８】
また、図３（ｂ）に示すように、折り畳み葉書１０の裏面には、折り線７を介して一方の領域に、情報提供サーバ３０にて商品やサービスの注文を受け付けるための情報画面へのアクセス情報となるＵＲＬアドレスと、商品やサービスを特定するための商品コードと、会員情報データベース５２に登録された会員情報を識別可能な会員ＩＤとが含まれる二次元コード３が印刷されており、また、折り線７を介して他方の領域には、折り畳み葉書１０の送付先の端末２０にインターネット４０を介して提供される情報の一部となる提供情報６が印刷されている。
【００２９】
製造部６０においては、まず、会員情報データベース５１が参照され、折り畳み葉書１０の送付先の会員の氏名や住所等の属性情報と、その会員に予め付与された会員ＩＤとが抽出される。会員情報データベース５１には、予め会員登録された会員の氏名や住所等の属性情報が会員ＩＤと対応づけて登録されており、製造部６０においては、会員ＩＤが指定された場合、指定された会員ＩＤに対応づけられた会員情報が会員情報データベース５１から抽出される。会員情報データベース５１から会員ＩＤ及び属性情報が抽出されると、抽出された会員ＩＤと、情報提供サーバ３０が管理する情報画面にアクセスするためのアクセス情報となるＵＲＬアドレスと、情報提供サーバ３０を介して提供される商品やサービスを特定するための商品コードとが含まれた二次元コードが生成される。なお、商品コードは、提供情報データベース５２にて、情報提供サーバ３０を介して提供される商品やサービスに関する情報と対応づけて登録されている。
【００３０】
その後、折り畳み葉書１０の印刷が行われる。宛先情報１においては、会員情報データベース５１から抽出された会員の属性情報を用いて印刷される。また、提供情報６においては、提供情報データベース５１が参照され、提供情報データベース５１に登録された提供情報のうち、折り畳み葉書１０の送付先に提供される提供情報の一部が抽出され、抽出された提供情報の一部を用いて印刷される。ここで、提供情報データベース５１からの提供情報の抽出においては、折り畳み葉書１０の送付先全てに共通なものとしてもよいし、また、折り畳み葉書１０の送付先毎に異なるものとしてもよいが、折り畳み葉書１０の送付先毎に異なるものとする場合は、例えば、製造部６０において、会員情報データベース５２から抽出された会員ＩＤに対してどのような提供情報を印刷するかのテーブル等を設けておき、このテーブルに従って提供情報が抽出されることになる。
【００３１】
また、生成された二次元コード３と、情報提供サーバ３０が管理する情報画面への折り畳み葉書１０を用いてのアクセス方法を示すガイダンス情報４とが印刷される。
【００３２】
上記のように宛先情報１、提供情報６、ガイダンス情報４及び二次元コード３が印刷された折り畳み葉書１０は、折り線７を介して折り畳み葉書１０の裏面が内側になるように折り畳まれ、圧着等の手段によって、折り畳み葉書１０の裏面どうしが剥離可能に接着される。
【００３３】
この状態においては、宛先情報１が表出しており、この宛先情報１に従って折り畳み葉書１０が会員情報データベース５２から抽出された会員に送付される。また、二次元コード３が表出していないため、二次元コード３に含まれるアクセス情報や会員ＩＤが読み取られることはない。また、ガイダンス情報４が表出しており、このガイダンス情報４によって、この折り畳み葉書１０を用いての情報提供サーバ３０が管理する情報画面へのアクセス方法が示されているため、折り畳み葉書１０を受け取った会員は、ガイダンス情報４に従って情報提供サーバ３０が管理する情報画面にアクセスすることになる。
【００３４】
製造部６０にて作成された折り畳み葉書１０は会員に送付される。
【００３５】
折り畳み葉書１０が会員に届けられた後、折り畳み葉書１０を取得した会員がガイダンス情報４に従って、折り畳み葉書１０を開いて、折り畳み葉書１０に印刷された二次元コード３が端末２０にて読み取られると（ステップＳ２）、読み取られた二次元コード３に含まれるアクセス情報によって、情報提供サーバ３０が管理する情報画面へのアクセスが行われる（ステップＳ３）。
【００３６】
情報提供サーバ３０においては、まず、データベース管理部３２において、端末２０にて読み取られた二次元コード３に含まれる会員ＩＤに基づいて会員情報データベース５１から会員情報が検索される（ステップＳ４）。
【００３７】
端末２０にて読み取られた二次元コード３に含まれる会員ＩＤに対応づけられた会員情報が会員情報データベース５１に登録されている場合は（ステップＳ５）、次に、データベース管理部３２において、端末２０にて読み取られた二次元コード３に含まれる商品コードに基づいて提供情報データベース５２から商品コードによって特定される商品あるいはサービスに関する情報が抽出される（ステップＳ６）。
【００３８】
次に、サイト管理部３１において、提供情報データベース５２から抽出された商品あるいはサービスに関する情報を用いて、端末２０にて読み取られた二次元コード３に含まれる商品コードによって特定される商品あるいはサービスに関する情報が掲載され、該商品あるいはサービスを注文するための情報画面が作成され、インターネット４０を介して端末２０に送信される（ステップＳ７）。
【００３９】
一方、端末２０にて読み取られた二次元コード３に含まれる会員ＩＤに対応づけられた会員情報が会員情報データベース５１に登録されていない場合は、会員登録されていない旨が情報提供サーバ３０から通知され（ステップＳ８）、端末２０にてその旨が表示される（ステップＳ９）。
【００４０】
サイト管理部３１から送信された情報画面が端末２０にて受信、表示された後（ステップＳ１０）、端末２０に表示された情報画面を用いて、端末２０に表示された商品あるいはサービスの注文が指定されると（ステップＳ１１）、情報提供サーバ３０にて、端末２０に表示された情報画面を用いて指定された商品あるいはサービスの注文が受け付けられる（ステップＳ１２）。
【００４１】
なお、サイト管理部３１から送信され、端末２０にて受信、表示される情報画面においては、折り畳み葉書１０に印刷された提供情報６の詳細となる、商品あるいはサービスの種類や料金等の詳細情報が掲載されているとともに、その注文数を入力可能な領域が設けられている。また、会員ＩＤによって会員が特定されているため、会員の氏名等が掲載されていることも考えられる。また、商品の送付先や決済の方法等を指定するための領域を設けることも考えられるが、折り畳み葉書１０に印刷された二次元コード３に含まれる会員ＩＤによって、会員情報データベース５２に登録された会員情報が特定できるため、注文した商品の送付先や決済方法を会員情報データベース５２に登録しておけば、その必要はない。
【００４２】
また、本形態においては、折り畳み葉書１０に印刷された二次元コード３に会員ＩＤを含ませておき、端末２０にて二次元コード３が読み取られた場合にこの二次元コード３に含まれている会員ＩＤによって、会員情報データベース５２に登録された会員の属性情報を検索しているが、折り畳み葉書１０に印刷された二次元コード３に会員の氏名、住所等の属性情報そのものを含ませておくことも考えられる。
【００４３】
また、折り畳み葉書１０に印刷された二次元コード３に商品コードを含ませておき、端末２０にて二次元コードが読み取られた場合にこの二次元コード３に含まれている商品コードによって、提供情報データベース５１に登録された提供情報の中から折り畳み葉書１０の送付先に提供すべき商品あるいはサービスに関する情報が抽出され、抽出された情報が掲載され、商品あるいはサービスを注文するための情報画面が情報提供サーバ３０から端末２０に送信されているが、情報提供サーバ３０において、商品あるいはサービス毎にその商品あるいはサービスの注文を行うための情報画面を予め設定しておき、これら情報画面にアクセスするためのアクセス情報を、折り畳み葉書１０に印刷された二次元コード３に含ませておくことも考えられる。
【００４４】
また、本実施の形態においては、商品やサービスを注文するための情報画面が情報提供サーバ３０から端末２０に送信され、端末２０において、この情報画面を用いて商品やサービスを注文する場合を例に挙げて説明したが、アクセスした端末２０に対して情報提供サーバ３０から所定の情報を提供するものであれば、本発明はこれに限らない。
【００４５】
【発明の効果】
以上説明したように本発明においては、通信回線を介して情報を提供する情報提供システムにおいて、情報の提供元にアクセスするための識別情報が二次元コードによって記載された印刷物と、印刷物に記載された二次元コードを読み取り可能に構成された端末と、端末にて二次元コードが読み取られることにより通信回線を介してアクセス可能に構成され、通信回線を介して端末に情報を提供する情報提供手段とを有する構成としたため、印刷物に記載された二次元コードを読み取ることのみによって情報提供手段に対するアクセスが行われることになり、情報提供手段から端末に提供された情報を用いて商品やサービスの注文を行うようにすれば、商品やサービスの通信回線を介しての注文の手間を軽減することができる。
【００４６】
また、二次元コードに、情報の提供先に関する情報が含まれている構成としたものにおいては、情報提供手段から端末に提供された情報を用いて商品やサービスの注文を行う場合に、注文元に関する情報を入力する必要がなくなり、商品やサービスの通信回線を介しての注文の手間をさらに軽減することができる。
【００４７】
また、印刷物を、二次元コードが内面となるように折り畳まれた状態で接触面どうしが剥離可能に接着されている構成としたものにおいては、二次元コードに含まれる情報のセキュリティ性を向上させることができる。
【図面の簡単な説明】
【図１】本発明の情報提供システムの実施の一形態を示す図である。
【図２】図１に示した情報提供システムにおける商品販売方法を説明するためのフローチャートである。
【図３】図１に示した情報提供システムにて作成される折り畳み葉書の一構成例を示す図であり、（ａ）は表面構成を示す図、（ｂ）は裏面構成を示す図である。
【符号の説明】
１    宛先情報
３    二次元コード
４    ガイダンス情報
６    提供情報
７    折り線
１０    折り畳み葉書
２０    端末
３０    情報提供サーバ
３１    サイト管理部
３２    データベース管理部
４０    インターネット
５１    提供情報データベース
５２    会員情報データベース
６０    製造部
【図１】
2004264985.tif 000003
【図２】
2004264985.tif 000004
【図３】
2004264985.tif 000005